(57)【要約】【課題】小型化を図ることができる画像読取装置を提供する。【解決手段】読み取り対象物の画像を読み取り、画像データに変換する画像読取装置（ハンディスキャナ１）であって、読み取り対象物を、主走査方向ｘに伸びるライン状に読み取り、画像信号として出力するＣＩＳモジュール１２と、マイクロコントローラによって構成され、ＣＩＳモジュール１２から入力される画像信号から画像データを生成するスキャナ制御部１４６と、互いに反対側を向く主面１４７ａおよび裏面１４７ｂを有しており、裏面１４７ｂが、主走査方向ｘと副走査方向ｙとに直交する厚さ方向ｚにおいて、ＣＩＳモジュール１２に対向して配置され、かつ、裏面１４７ｂにスキャナ制御部１４６を搭載した制御基板１４７と、ＣＩＳモジュール１２の一部、スキャナ制御部１４６、および、制御基板１４７を収容するスキャナケース１１と、を備える。【選択図】図２
2018061085.tif 000002
【特許請求の範囲】
【請求項１】
読み取り対象物の画像を読み取り、画像データに変換する画像読取装置であって、
前記読み取り対象物を、主走査方向に伸びるライン状に読み取り、画像信号として出力するイメージセンサモジュールと、
マイクロコントローラによって構成され、前記イメージセンサモジュールから入力される前記画像信号から前記画像データを生成する制御手段と、
互いに反対側を向く主面および裏面を有しており、前記裏面が、前記主走査方向と副走査方向とに直交する厚さ方向において、前記イメージセンサモジュールに対向して配置され、かつ、前記裏面に前記制御手段を搭載した制御基板と、
前記イメージセンサモジュールの一部、前記制御手段、および、前記制御基板を収容する筐体と、
を備えることを特徴とする画像読取装置。
【請求項２】
前記イメージセンサモジュールは、
前記主走査方向に沿って伸びる細長状の線状光を出射可能に構成された光源と、
前記読み取り対象物によって反射された上記線状光を集光するための前記主走査方向に沿って伸びる細長状のレンズアレイと、
前記主走査方向に沿って配列された複数の受光素子を有し、前記レンズアレイによって集光された光を受光し、受光量に応じた出力レベルの前記画像信号に変換する光電変換処理を行うラインセンサと、
前記制御基板に接続するためのコネクタと、
前記光源、前記レンズアレイ、および、前記ラインセンサを収容するイメージセンサケースと、を含んで構成される、
請求項１に記載の画像読取装置。
【請求項３】
前記制御手段および前記イメージセンサモジュールの動作に必要な電力を蓄積する蓄電手段をさらに備える、
請求項２に記載の画像読取装置。
【請求項４】
前記蓄電手段は、二次電池あるいはキャパシタである、
請求項３に記載の画像読取装置。
【請求項５】
前記制御基板と前記蓄電手段とは、前記主走査方向に並んで配置されている、
請求項３または請求項４に記載の画像読取装置。
【請求項６】
前記イメージセンサモジュールは、前記厚さ方向視において、前記制御基板および前記蓄電手段の一部と重なっている、
請求項５に記載の画像読取装置。
【請求項７】
前記制御基板の厚さ方向寸法は、前記蓄電手段の厚さ方向寸法より小であり、
前記厚さ方向において、前記制御基板の中央位置は、前記蓄電手段の中央位置より、前記イメージセンサモジュールの反対側に位置する、
請求項６に記載の画像読取装置。
【請求項８】
前記筐体に収容され、外部機器と通信可能な通信手段を、さらに備え、
前記制御手段は、前記通信手段を介して、前記画像データを前記外部機器に送信する、
請求項７に記載の画像読取装置。
【請求項９】
前記通信手段は、無線通信可能な、無線通信モジュールである、
請求項８に記載の画像読取装置。
【請求項１０】
前記無線通信モジュールは、Ｂｌｕｅｔｏｏｔｈ規格に準拠した無線通信を行う、
請求項９に記載の画像読取装置。
【請求項１１】
前記無線通信モジュールは、前記制御基板の前記主面に搭載されている、
請求項９または請求項１０に記載の画像読取装置。
【請求項１２】
前記副走査方向の移動量を検出するための移動量検出モジュールを、さらに備える、
請求項１１に記載の画像読取装置。
【請求項１３】
前記移動量検出モジュールは、
前記読み取り対象物との当接し、前記副走査方向への移動に伴い回動するローラと、
前記ローラが取り付けられており、前記ローラの回動と同時に回動するピンと、
回動する前記ピンの回転量を検出するロータリーエンコーダと、を含んで構成される、
請求項１２に記載の画像読取装置。
【請求項１４】
前記ロータリーエンコーダは、前記筐体の前記主走査方向の一方の端縁側に配置されている、
請求項１３に記載の画像読取装置。
【請求項１５】
前記ロータリーエンコーダと前記通信手段とは、前記主走査方向において、互いに反対側に配置されている、
請求項１４に記載の画像読取装置。
【請求項１６】
前記画像信号は、アナログ画像信号であり、
前記制御手段は、前記イメージセンサモジュールから入力される前記アナログ画像信号を、増幅およびアナログ−デジタル変換し、デジタル画像信号に変換するアナログ・フロント・エンド制御を実行する、
請求項１２ないし請求項１５のいずれか一項に記載の画像読取装置。
【請求項１７】
前記制御手段は、前記光電変換処理を制御し、前記イメージセンサモジュールに前記アナログ画像信号を出力させるスキャン制御を実行する、
請求項１６に記載の画像読取装置。
【請求項１８】
前記制御手段は、前記スキャン制御において、前記移動量検出モジュールが検出した回転量に基づき、前記副走査方向の移動量を算出し、前記副走査方向の移動量が所定量になる度に、前記ラインセンサに前記光電変換処理を実行させ、前記アナログ画像信号を出力させる、
請求項１７に記載の画像読取装置。
【請求項１９】
前記制御手段は、前記アナログ・フロント・エンド制御によって、前記デジタル画像信号を生成する度に、当該デジタル画像信号を前記画像データとして出力し、前記通信手段を介して、前記外部機器に送信する、
請求項１８に記載の画像読取装置。
【請求項２０】
前記制御手段は、前記デジタル画像信号を一時的に記憶し、複数の前記デジタル画像信号を蓄積しておき、蓄積した前記複数のデジタル画像信号を合成して、前記画像データを生成する画像処理制御を実行し、前記画像処理制御によって、生成した前記画像データを、前記通信手段を介して、前記外部機器に送信する、
請求項１８に記載の画像読取装置。
【請求項２１】
前記スキャン制御の開始および停止を指示するスキャンスイッチをさらに有し、
前記スキャンスイッチは、前記制御基板の前記主面に搭載されている、
請求項１７ないし請求項２０のいずれか一項に記載の画像読取装置。
【請求項２２】
前記制御手段は、前記光源の点灯を制御する点灯制御を実行する、
請求項１６ないし請求項２１のいずれか一項に記載の画像読取装置。
【請求項２３】
前記制御基板に形成され、前記光源の点灯を制御する点灯回路を、さらに備える、
請求項１６ないし請求項２１のいずれか一項に記載の画像読取装置。
【請求項２４】
前記蓄電手段を充電するための電力を供給する電力供給源を接続する外部インタフェースを有する、
請求項３ないし請求項２３のいずれか一項に記載の画像読取装置。
【請求項２５】
前記外部インタフェースは、ＵＳＢコネクタである、
請求項２４に記載の画像読取装置。
【請求項２６】
前記制御基板は、前記副走査方向の寸法が、前記制御手段の前記副走査方向の寸法の１〜２倍である、
請求項１ないし請求項２５のいずれか一項に記載の画像読取装置。
【請求項２７】
前記筐体は、前記主走査方向に垂直な断面が円形状である、
請求項１ないし請求項２６のいずれか一項に記載の画像読取装置。
【請求項２８】
前記筐体は、円筒状の円筒部と、前記円筒部の前記主走査方向の両端縁に繋がり、かつ、円錐状の一対の円錐部と、前記読み取り対象物と対向する側に配置された平面部と、を有しており、
前記イメージセンサモジュールは、前記読み取り対象物と対向する側の面が前記平面部の一部から露出している、
請求項２７に記載の画像読取装置。
【請求項２９】
前記一対の円錐部の一方は、前記円筒部から着脱可能である、
請求項２８に記載の画像読取装置。
【請求項３０】
前記筐体は、前記主走査方向に垂直な断面が矩形状である、
請求項１ないし請求項２６のいずれか一項に記載の画像読取装置。
【請求項３１】
前記筐体の前記主走査方向のいずれかの端縁部分に筆記具を備える、
請求項１ないし請求項３０のいずれか一項に記載の画像読取装置。
【発明の詳細な説明】
【技術分野】
【０００１】
本発明は、読み取り対象物の画像を読み取り、画像データに変換する画像読取装置であって、特に、手動で読み取り対象物を走査するものに関する。
【背景技術】
【０００２】
原稿上を手動で移動させて原稿画像を読み取る画像読取装置が知られている。当該画像読取装置が読み取った画像データは、ＯＡ機器に送られ、処理される。このようなＯＡ機器を例示すると、パーソナルコンピュータ、多機能携帯端末、ファクシミリ機器、コピー機などが挙げられる。特許文献１には、携帯型画像読取装置の一例が開示されている。
【先行技術文献】
【特許文献】
【０００３】
【特許文献１】特開２００２−１９９１８６号公報
【発明の概要】
【発明が解決しようとする課題】
【０００４】
上記特許文献１に開示された携帯型画像読取装置は、上記するように原稿上を手動で移動させて原稿画像を読み取る必要がある。そのため、手軽に原稿の読み取り操作を行うためには、画像読取装置の小型化が求められる。また、いつでもどこでも手軽に書類やメモなどをデジタル化できるように持ち運ぶためにも、このような小型化は有効である。
【０００５】
そこで、本発明は、上記課題に鑑みて創作されたものであり、その目的は、小型化を図ることができる画像読取装置を提供することにある。
【課題を解決するための手段】
【０００６】
本発明によって提供される画像読取装置は、読み取り対象物の画像を読み取り、画像データに変換する画像読取装置であって、前記読み取り対象物を、主走査方向に伸びるライン状に読み取り、画像信号として出力するイメージセンサモジュールと、マイクロコントローラによって構成され、前記イメージセンサモジュールから入力される前記画像信号から前記画像データを生成する制御手段と、互いに反対側を向く主面および裏面を有しており、前記裏面が、前記主走査方向と副走査方向とに直交する厚さ方向において、前記イメージセンサモジュールに対向して配置され、かつ、前記裏面に前記制御手段を搭載した制御基板と、前記イメージセンサモジュールの一部、前記制御手段、および、前記制御基板を収容する筐体と、を備えることを特徴とする。
【０００７】
前記画像読取装置の好ましい実施の形態において、前記イメージセンサモジュールは、前記主走査方向に沿って伸びる細長状の線状光を出射可能に構成された光源と、前記読み取り対象物によって反射された上記線状光を集光するための前記主走査方向に沿って伸びる細長状のレンズアレイと、前記主走査方向に沿って配列された複数の受光素子を有し、前記レンズアレイによって集光された光を受光し、受光量に応じた出力レベルの前記画像信号に変換する光電変換処理を行うラインセンサと、前記制御基板に接続するためのコネクタと、前記光源、前記レンズアレイ、および、前記ラインセンサを収容するイメージセンサケースと、を含んで構成される。
【０００８】
前記画像読取装置の好ましい実施の形態において、前記制御手段および前記イメージセンサモジュールの動作に必要な電力を蓄積する蓄電手段をさらに備える。
【０００９】
前記画像読取装置の好ましい実施の形態において、前記蓄電手段は、二次電池あるいはキャパシタである。
【００１０】
前記画像読取装置の好ましい実施の形態において、前記制御基板と前記蓄電手段とは、前記主走査方向に並んで配置されている。
【００１１】
前記画像読取装置の好ましい実施の形態において、前記イメージセンサモジュールは、前記厚さ方向視において、前記制御基板および前記蓄電手段の一部と重なっている。
【００１２】
前記画像読取装置の好ましい実施の形態において、前記制御基板の厚さ方向寸法は、前記蓄電手段の厚さ方向寸法より小であり、前記厚さ方向において、前記制御基板の中央位置は、前記蓄電手段の中央位置より、前記イメージセンサモジュールの反対側に位置する。
【００１３】
前記画像読取装置の好ましい実施の形態において、前記筐体に収容され、外部機器と通信可能な通信手段を、さらに備え、前記制御手段は、前記通信手段を介して、前記画像データを前記外部機器に送信する。
【００１４】
前記画像読取装置の好ましい実施の形態において、前記通信手段は、無線通信可能な、無線通信モジュールである。
【００１５】
前記画像読取装置の好ましい実施の形態において、前記無線通信モジュールは、Ｂｌｕｅｔｏｏｔｈ（登録商標）規格に準拠した無線通信を行う。
【００１６】
前記画像読取装置の好ましい実施の形態において、前記無線通信モジュールは、前記制御基板の前記主面に搭載されている。
【００１７】
前記画像読取装置の好ましい実施の形態において、前記副走査方向の移動量を検出するための移動量検出モジュールを、さらに備える。
【００１８】
前記画像読取装置の好ましい実施の形態において、前記移動量検出モジュールは、前記読み取り対象物との当接し、前記副走査方向への移動に伴い回動するローラと、前記ローラが取り付けられており、前記ローラの回動と同時に回動するピンと、回動する前記ピンの回転量を検出するロータリーエンコーダと、を含んで構成される。
【００１９】
前記画像読取装置の好ましい実施の形態において、前記ロータリーエンコーダは、前記筐体の前記主走査方向の一方の端縁側に配置されている。
【００２０】
前記画像読取装置の好ましい実施の形態において、前記ロータリーエンコーダと前記通信手段とは、前記主走査方向において、互いに反対側に配置されている。
【００２１】
前記画像読取装置の好ましい実施の形態において、前記画像信号は、アナログ画像信号であり、前記制御手段は、前記イメージセンサモジュールから入力される前記アナログ画像信号を、増幅およびアナログ−デジタル変換し、デジタル画像信号に変換するアナログ・フロント・エンド制御を実行する。
【００２２】
前記画像読取装置の好ましい実施の形態において、前記制御手段は、前記光電変換処理を制御し、前記イメージセンサモジュールに前記アナログ画像信号を出力させるスキャン制御を実行する。
【００２３】
前記画像読取装置の好ましい実施の形態において、前記制御手段は、前記スキャン制御において、前記移動量検出モジュールが検出した回転量に基づき、前記副走査方向の移動量を算出し、前記副走査方向の移動量が所定量になる度に、前記ラインセンサに前記光電変換処理を実行させ、前記アナログ画像信号を出力させる。
【００２４】
前記画像読取装置の好ましい実施の形態において、前記制御手段は、前記アナログ・フロント・エンド制御によって、前記デジタル画像信号を生成する度に、当該デジタル画像信号を前記画像データとして出力し、前記通信手段を介して、前記外部機器に送信する。
【００２５】
前記画像読取装置の好ましい実施の形態において、前記制御手段は、前記デジタル画像信号を一時的に記憶し、複数の前記デジタル画像信号を蓄積しておき、蓄積した前記複数のデジタル画像信号を合成して、前記画像データを生成する画像処理制御を実行し、前記画像処理制御によって、生成した前記画像データを、前記通信手段を介して、前記外部機器に送信する。
【００２６】
前記画像読取装置の好ましい実施の形態において、前記スキャン制御の開始および停止を指示するスキャンスイッチをさらに有し、前記スキャンスイッチは、前記制御基板の前記主面に搭載されている。
【００２７】
前記画像読取装置の好ましい実施の形態において、前記制御手段は、前記光源の点灯を制御する点灯制御を実行する。
【００２８】
前記画像読取装置の好ましい実施の形態において、前記制御基板に形成され、前記光源の点灯を制御する点灯回路を、さらに備える。
【００２９】
前記画像読取装置の好ましい実施の形態において、前記蓄電手段を充電するための電力を供給する電力供給源を接続する外部インタフェースを有する。
【００３０】
前記画像読取装置の好ましい実施の形態において、前記外部インタフェースは、ＵＳＢコネクタである。
【００３１】
前記画像読取装置の好ましい実施の形態において、前記制御基板は、前記副走査方向の寸法が、前記制御手段の前記副走査方向の寸法の１〜２倍である。
【００３２】
前記画像読取装置の好ましい実施の形態において、前記筐体は、前記主走査方向に垂直な断面が円形状である。
【００３３】
前記画像読取装置の好ましい実施の形態において、前記筐体は、円筒状の円筒部と、前記円筒部の前記主走査方向の両端縁に繋がり、かつ、円錐状の一対の円錐部と、前記読み取り対象物と対向する側に配置された平面部と、を有しており、前記イメージセンサモジュールは、前記読み取り対象物と対向する側の面が前記平面部の一部から露出している。
【００３４】
前記画像読取装置の好ましい実施の形態において、前記一対の円錐部の一方は、前記円筒部から着脱可能である。
【００３５】
前記画像読取装置の好ましい実施の形態において、前記筐体は、前記主走査方向に垂直な断面が矩形状である。
【００３６】
前記画像読取装置の好ましい実施の形態において、前記筐体の前記主走査方向のいずれかの端縁部分に筆記具を備える。
【発明の効果】
【００３７】
本発明によれば、画像読取装置の小型化を図ることができる。
【図面の簡単な説明】
【００３８】
【図１】第１実施形態に係るハンディスキャナの概要を示す図である。
【図２】第１実施形態に係るハンディスキャナの正面図である。
【図３】第１実施形態に係るハンディスキャナの側面図であり、（ａ）は右側面図、（ｂ）は左側面図である。
【図４】第１実施形態に係るハンディスキャナの背面図である。
【図５】第１実施形態に係るハンディスキャナの平面図である。
【図６】第１実施形態に係るハンディスキャナの底面図である。
【図７】第１実施形態に係るハンディスキャナの原稿読み取り制御における機能ブロック図である。
【図８】第２実施形態に係るハンディスキャナを示す図であり、図８（ａ）は斜視図であり、図８（ｂ）は側面図（右側面図）である。
【図９】第３実施形態に係るハンディスキャナを示す図であり、図９（ａ）は斜視図であり、図９（ｂ）は側面図（右側面図）である。
【発明を実施するための形態】
【００３９】
本発明の好ましい実施の形態について、図面を参照して、以下に説明する。本発明に係る画像読取装置として、手（特に、片手）で持ち運び可能なサイズであり、かつ、手動で読み取り対象物を走査するハンディスキャナを例に説明する。以下、本発明の説明において、ハンディスキャナの、主走査方向をｘ、副走査方向をｙ、主走査方向ｘおよび副走査方向ｙに直交する厚さ方向をｚとする。また、ハンディスキャナが読み取り対象物に対向する方向を下方向としている。
【００４０】
図１は、本発明の第１実施形態に係るハンディスキャナ１の概要を示している。同図に示すように、ハンディスキャナ１は、前記読み取り対象物である原稿Ｄ上を副走査方向ｙに手動で動かし、原稿Ｄの画像を読み取るイメージスキャナである。ハンディスキャナ１は、外部の外部機器Ｃと無線通信可能であり、読み取った画像データを外部の外部機器Ｃに無線送信する。そして、外部機器Ｃは、受信した画像データを用いて、各種処理を実行する。このような外部機器Ｃを例示すると、パーソナルコンピュータ、スマートフォンやタブレット端末などの多機能携帯端末、ファクシミリ機器、コピー機などが挙げられる。図１においては、外部機器Ｃがパーソナルコンピュータである場合を図示している。パーソナルコンピュータや多機能携帯端末などの場合、ハンディスキャナ１から受信した画像データを電子ファイルとして保存し、また、表示部に表示する。また、ファクシミリ機器の場合、ハンディスキャナ１から受信した画像データを、電話回線を利用して、遠隔地に伝送する。コピー機の場合、ハンディスキャナ１から受信した画像データを、入力データとして紙に印字する。
【００４１】
ハンディスキャナ１は、スキャナケース１１、ＣＩＳモジュール１２、移動量検出モジュール１３、スキャナ制御モジュール１４、Ｂｌｕｅｔｏｏｔｈモジュール１５、蓄電デバイス１６、および、ＵＳＢモジュール１７を備えている。
【００４２】
図２〜図７は、上記ハンディスキャナ１の詳細な構成を示している。図２は、ハンディスキャナ１の正面図を示している。図３は、ハンディスキャナ１の側面図を示している。なお、図３（ａ）は、右側面図、図３（ｂ）は、左側面図である。図４は、ハンディスキャナ１の背面図を示している。図５は、ハンディスキャナ１の平面図を示している。図６は、ハンディスキャナ１の底面図を示している。なお、図２〜６においては、スキャナケース１１を透過している。図７は、ハンディスキャナ１の原稿読み取り制御における機能ブロック図を示している。
【００４３】
ハンディスキャナ１は、図２，図４〜図６に示すように、主走査方向ｘに長く伸びる棒状である。本実施形態においては、ハンディスキャナ１は、円筒形状をなす。すなわち、ハンディスキャナ１は、主走査方向ｘに垂直な断面形状（副走査方向ｙと厚さ方向ｚによって規定されるｙ−ｚ平面による断面形状）が、円形状をなす。なお、楕円形であってもよい。また、ハンディスキャナ１の外形寸法は、主走査方向ｘの長さが１４０ｍｍ〜１６０ｍｍであり、主走査方向ｘ視における最大の直径が１２ｍｍ〜１５ｍｍである。
【００４４】
スキャナケース１１は、ハンディスキャナ１の他の構成要素を収容する筐体である。スキャナケース１１は、ハンディスキャナ１の外形を構成する。したがって、スキャナケース１１の外形および寸法は、上記したハンディスキャナ１の外形および寸法と同じである。スキャナケース１１は、円筒部１１１、一対の円錐部１１２、平面部１１３、および、開口部１１４を有する。
【００４５】
円筒部１１１は、主走査方向ｘにおいて、スキャナケース１１の中央部に位置し、円筒状とする部分である。一対の円錐部１１２は、主走査方向ｘにおいて、スキャナケース１１の両端縁に位置し、円錐状とする部分である。一対の円錐部１１２は、円筒部１１１の両端縁に繋がり、主走査方向ｘにおいて、円筒部１１１に繋がる側から反対側に向け、先細りになっている。本実施形態においては、後述するＵＳＢモジュール１７が配置される側の円錐部１１２は、円筒部１１１から着脱可能に構成されており、当該円錐部１１２を円筒部１１１から取り外すことで、ＵＳＢモジュール１７の一部がスキャナケース１１から露出し、ハンディスキャナ１をＵＳＢ接続することができる。
【００４６】
平面部１１３は、厚さ方向ｚにおいて、図２の下側に位置し、平面をなす部分である。平面部１１３の一部は、図６に示すように、開口しており、開口部１１４が形成されている。開口部１１４は、厚さ方向ｚ視において、矩形状をなす。
【００４７】
ＣＩＳモジュール１２は、原稿Ｄを読み取り、画像信号として出力するイメージセンサモジュールである。なお、ＣＩＳとは、Contact Image Sensor（密着型イメージセンサ）の略称であり、等倍光学系のイメージセンサである。ＣＩＳモジュール１２は、後述するスキャナ制御モジュール１４の指示に従い、動作する。本実施形態においては、ＣＩＳモジュール１２の厚さ方向ｚ下方の面は、スキャナケース１１の開口部１１４から露出しており、かつ、厚さ方向ｚにおいて、平面部１１３とほぼ一致している。ＣＩＳモジュール１２は、ＬＥＤ光源１２１、レンズアレイ１２２、ラインセンサ１２３、ＣＩＳケース１２４、透明カバー１２５、スキャナ制御モジュール用コネクタ１２６、および、ＣＩＳ基板１２７を含んで構成されている。
【００４８】
ＬＥＤ光源１２１は、複数のＬＥＤチップを有しており、ＣＩＳモジュール１２の光源である。ＬＥＤ光源１２１は、複数のＬＥＤチップが主走査方向ｘに伸びるライン状に所定のピッチで並べられて構成されている。ＬＥＤ光源１２１は、複数のＬＥＤチップからの光により、主走査方向ｘに伸びる発光領域を形成する。ＬＥＤ光源１２１は、後述するスキャナ制御部１４６からの指示に従い、複数のＬＥＤチップが発光し、原稿Ｄの一部を照射する。本実施形態においては、赤色光を出射する赤色ＬＥＤチップと、緑色光を出射する緑色ＬＥＤチップと、青色光を出射する青色ＬＥＤチップと、を複合的に備えている。
【００４９】
レンズアレイ１２２は、主走査方向ｘにライン状に伸びる細長なブロック状に形成された合成樹脂製のホルダに、結像用の多数のレンズを列状に並べて保持させたものである。各レンズとしては、例えば、原稿Ｄの画像を正立等倍に結像可能なセルフォック（登録商標）レンズを用いることができる。なお、これに限定されず、凸レンズやその他の種類のレンズを用いることができる。
【００５０】
ラインセンサ１２３は、光電変換を行うものであり、複数の受光素子が主走査方向ｘに伸びるライン状に配列され、構成されている。ラインセンサ１２３は、読み取り領域からレンズアレイ１２２の各レンズを通過してきた光を受光すると、その受光量に対応した出力レベルの電気信号（画像信号）を生成する。前記読み取り領域は、前記発光領域とほぼ同じ領域である。ラインセンサ１２３は、後述するスキャナ制御部１４６からの指示に従い、光電変換処理を実行する。
【００５１】
ＣＩＳケース１２４は、ＣＩＳモジュール１２の外形を構成し、ＣＩＳモジュール１２の他の構成要素を収容する筐体である。なお、後述するスキャナ制御モジュール用コネクタ１２６においては、その一部を収容し、他の部分がＣＩＳケース１２４から露出している。ＣＩＳケース１２４は、主走査方向ｘに長く伸びており、副走査方向ｙおよび厚さ方向ｚによって規定される断面が、略矩形状とされている。ＣＩＳケース１２４の材質は、例えば、液晶ポリマ樹脂が挙げられる。ＣＩＳケース１２４には、その他の構成要素を収容するための凹部が適宜形成されている。また、ＣＩＳケース１２４は、厚さ方向ｚ下方の面に開口部１２４ａを有する。
【００５２】
透明カバー１２５は、例えば、ガラスあるいはアクリル系樹脂などの透明な材質からなり、主走査方向ｘに伸びる長矩形状の板材である。透明カバー１２５は、ＣＩＳケース１２４に対して、例えば、接着材によって固定されている。透明カバー１２５は、厚さ方向ｚにおける原稿Ｄ寄りに位置し、ＣＩＳケース１２４の開口部１２４ａを覆っている。ＬＥＤ光源１２１からの光は、当該透明カバー１２５を透過し、ＣＩＳモジュール１２の厚さ方向ｚ下方の面から照射される。
【００５３】
スキャナ制御モジュール用コネクタ１２６は、ＣＩＳモジュール１２を、スキャナ制御モジュール１４に接続するための接続端子である。
【００５４】
ＣＩＳ基板１２７は、例えば、セラミック製あるいはエポキシ樹脂製であり、Ｃｕなどの良導電性の金属からなる配線パターン（図示略）を有する。当該配線パターンは、ＬＥＤ光源１２１（複数のＬＥＤチップ）やラインセンサ１２３（複数の受光素子）への電力供給経路や各種信号の入出力経路を形成する。ＣＩＳ基板１２７は、ＬＥＤ光源１２１、ラインセンサ１２３、および、スキャナ制御モジュール用コネクタ１２６を搭載する。ＣＩＳ基板１２７において、ＬＥＤ光源１２１およびラインセンサ１２３は、同一面上に搭載され、かつ、ＣＩＳ基板１２７の長手方向とＬＥＤ光源１２１の長手方向とラインセンサ１２３の長手方向とが主走査方向ｘに一致するように、搭載されている。
【００５５】
ＣＩＳモジュール１２は、原稿Ｄ上にハンディスキャナ１を配置し、ＬＥＤ光源１２１を駆動させると、当該ＬＥＤ光源１２１から出射された線状光が原稿Ｄに反射し、当該反射された線状光がレンズアレイ１２２によって集光される。これにより、上記ＣＩＳモジュール１２の読み取り領域における画像が上記ラインセンサ１２３上に結像される。そして、上記ラインセンサ１２３は、その受光量に対応した出力レベルの電気信号（画像信号）を生成する。そして、ＣＩＳモジュール１２は、ラインセンサ１２３が生成した画像信号をスキャナ制御モジュール１４（後述するスキャナ制御部１４６）に出力する。なお、ＣＩＳモジュール１２（ラインセンサ１２３）から出力される画像信号はアナログ信号であり、説明の便宜上、以下の説明において、当該画像信号をアナログ画像信号と表現する。
【００５６】
移動量検出モジュール１３は、副走査方向ｙの移動量を検出するためのものである。移動量検出モジュール１３は、ピン１３１、ローラ１３２、および、ロータリーエンコーダ１３３を有している。
【００５７】
ピン１３１は、棒状であり、その両端縁付近に、ローラ１３２が取り付けられている。本実施形態においては、１本のピン１３１に２つのローラ１３２が取り付けられている。なお、２つのピン１３１にそれぞれ１つずつローラ１３２が取り付けられていてもよい。
【００５８】
ローラ１３２は、ＣＩＳモジュール１２の透明カバー１２５が下向きとなるようにして、スキャナケース１１が原稿Ｄ上に配置されたときに原稿Ｄに当接し、原稿Ｄと透明カバー１２５との間に隙間を形成しつつ、スキャナケース１１の副走査方向ｙへの移動を円滑にするためのものである。
【００５９】
ロータリーエンコーダ１３３は、入力軸の回転の変位（回転量）を検出するものであり、検出した回転量をデジタル信号として出力する。ロータリーエンコーダ１３３の入力軸には、ローラ１３２の回動が伝達される。
【００６０】
移動量検出モジュール１３において、ユーザがハンディスキャナ１を副走査方向ｙに移動させる（走査する）と、ローラ１３２が当該移動に合わせて回動する。ローラ１３２の回動がピン１３１に伝達され、当該ピン１３１の回転量をロータリーエンコーダ１３３が検出する。そして、ロータリーエンコーダ１３３は、検出した回転量をデジタル信号として、スキャナ制御モジュール１４（後述するスキャナ制御部１４６）に出力する。
【００６１】
本実施形態においては、移動量検出モジュール１３は、ＣＩＳモジュール１２のＣＩＳ基板１２７に接続されており、移動量検出モジュール１３の出力信号は、ＣＩＳモジュール１２のＣＩＳ基板１２７を介して、スキャナ制御モジュール１４に入力される。なお、移動量検出モジュール１３を、スキャナ制御モジュール１４に接続しておき、移動量検出モジュール１３の出力信号が、直接スキャナ制御モジュール１４に入力されるように構成してもよい。
【００６２】
また、本実施形態においては、移動量検出モジュール１３は、副走査方向ｙの移動量を検出するための回転量の情報をスキャナ制御モジュール１４に出力する場合を例に説明するが、移動量検出モジュール１３がロータリーエンコーダ１３３によって検出した回転量から副走査方向ｙの移動量を求め、当該移動量の情報をスキャナ制御モジュール１４に出力するようにしてもよい。また、移動量検出モジュール１３の構成は、これに限定されず、ハンディスキャナ１の副走査方向ｙの移動量を検出できるものであればよい。
【００６３】
スキャナ制御モジュール１４は、ハンディスキャナ１の全体を制御するものである。スキャナ制御モジュール１４は、メインスイッチ１４１、スキャンスイッチ１４２、ＣＩＳモジュール用コネクタ１４３、ＵＳＢモジュール用コネクタ１４４、蓄電デバイス用コネクタ１４５、スキャナ制御部１４６、および、メイン基板１４７を含んで構成される。
【００６４】
メインスイッチ１４１は、ハンディスキャナ１の電源のオン／オフを切り替えるスイッチである。本実施形態においては、メインスイッチ１４１として、スライドスイッチを用いている。なお、スライドスイッチに限定されない。メインスイッチ１４１がオン状態のとき、蓄電デバイス１６に蓄積された電力が各部に供給され、ハンディスキャナ１の電源がオンとなり、一方、メインスイッチ１４１がオフ状態のとき、蓄電デバイス１６からの電力供給が停止され、ハンディスキャナ１の電源がオフとなる。
【００６５】
スキャンスイッチ１４２は、ハンディスキャナ１の後述する画像読み取り制御の実行を指示するスイッチである。本実施形態においては、スキャンスイッチ１４２として、押しボタンスイッチを用いている。なお、押しボタンスイッチに限定されない。スキャンスイッチ１４２が押下されることで、ハンディスキャナ１の画像読み取り制御（スキャン制御）が開始され、再度押下することで停止する。あるいは、スキャンスイッチ１４２が押下中にハンディスキャナ１のスキャン制御が実行される。また、複数のスイッチを備えておき、スキャン制御の開始および停止をそれぞれ異なるスイッチに割り当てるようにしてもよい。
【００６６】
ＣＩＳモジュール用コネクタ１４３は、ＣＩＳモジュール１２をスキャナ制御モジュール１４に接続するための接続端子である。本実施形態においては、ＣＩＳモジュール用コネクタ１４３は、フレキシブルフラットケーブル（図示略）を用いて、スキャナ制御モジュール用コネクタ１２６と接続されており、これにより、スキャナ制御モジュール１４とＣＩＳモジュール１２とが各種信号および電力の受け渡しが可能となる。なお、フレキシブルフラットケーブル以外のケーブルであってもよい。
【００６７】
ＵＳＢモジュール用コネクタ１４４は、ＵＳＢモジュール１７をスキャナ制御モジュール１４に接続するための接続端子である。本実施形態においては、ＵＳＢモジュール用コネクタ１４４は、フレキシブルフラットケーブル（図示略）を用いて、後述するスキャナ制御モジュール用コネクタ１７２と接続されており、これにより、スキャナ制御モジュール１４とＵＳＢモジュール１７とが各種信号および電力の受け渡しが可能となる。なお、フレキシブルフラットケーブル以外のケーブルであってもよい。
【００６８】
蓄電デバイス用コネクタ１４５は、蓄電デバイス１６をスキャナ制御モジュール１４に接続するための接続端子である。蓄電デバイス用コネクタ１４５を介して、接続された蓄電デバイス１６から各部に電力が供給される。
【００６９】
スキャナ制御部１４６は、ハンディスキャナ１によるスキャナ機能を総合的に制御するものであり、画像読み取り制御を実行する。本実施形態においては、スキャナ制御部１４６は、ＣＰＵ、ＲＯＭ、ＲＡＭなどを含んだマイコン（マイクロコントローラ）により構成され、メイン基板１４７に搭載されている。スキャナ制御部１４６においては、ＣＰＵが、ＲＯＭに記憶された各種プログラムを読み出し、ＲＡＭをワークメモリとして利用して、実行することで、各種制御が実行される。本実施形態においては、スキャナ制御部１４６は、画像読み取り制御として、ＣＩＳモジュール１２のスキャン制御、アナログ・フロント・エンド（ＡＦＥ）制御、および、画像処理制御を実行する。したがって、前記ＲＯＭには、スキャン制御プログラム、ＡＦＥ制御プログラム、および、画像処理制御プログラムが記憶されている。
【００７０】
前記スキャン制御は、ＣＩＳモジュール１２に原稿Ｄのアナログ画像信号を出力させる制御である。具体的には、スキャナ制御部１４６は、移動量検出モジュール１３から入力される回転量に基づき、副走査方向ｙの移動量を算出し、副走査方向ｙの移動量が所定距離移動する毎に、ＣＩＳモジュール１２に読み取り指令を出力する。そして、ＣＩＳモジュール１２のラインセンサ１２３が当該読み取り指令に基づき、読み取り領域における原稿Ｄの画像を読み取り、アナログ画像信号を出力する。スキャナ制御部１４６は、スキャンスイッチ１４２が押下されているときに、当該スキャン制御を実行する。また、スキャナ制御部１４６は、当該スキャン制御において、ＬＥＤ光源１２１の点灯を制御するＬＥＤ駆動制御も実行している。具体的には、スキャナ制御部１４６は、ＬＥＤ光源１２１に対して、ＬＥＤの点灯を指示する信号を入力する。
【００７１】
前記ＡＦＥ制御は、ＣＩＳモジュール１２から入力されるアナログ画像信号をデジタル信号に変換する制御である。具体的には、スキャナ制御部１４６は、ＣＩＳモジュール１２から入力されるアナログ画像信号を増幅し、その後、増幅されたアナログ画像信号をデジタル画像信号にアナログ−デジタル変換する。スキャナ制御部１４６は、デジタル画像信号を上記ＲＡＭなどに一時的に記憶しておく。スキャナ制御部１４６は、ＣＩＳモジュール１２からアナログ画像信号が入力される度に当該ＡＦＥ制御を実行する。
【００７２】
前記画像処理制御は、ＲＡＭに記憶された複数のデジタル画像信号を合成し、原稿Ｄの画像データを生成する制御である。スキャナ制御部１４６は、当該画像処理制御において、副走査方向ｙの移動量を考慮して、ＲＡＭに記憶された複数のデジタル画像信号を合成する。なお、当該画像処理制御において、シェーディング補正、ガンマ補正、エッジ強調、エッジ平滑化、および、デジタル多値／二値変換などを必要に応じて行うようにしてもよい。また、ＯＣＲ（Optical Character Recognition；光学式文字認識）機能を有していてもよい。
【００７３】
スキャナ制御部１４６は、上記するようにマイコンによって構成されており、画像読み取り制御のこれら各種制御をソフトウェアにより制御している。そして、スキャナ制御部１４６は、生成した画像データを、後述するＢｌｕｅｔｏｏｔｈモジュール１５を介して、外部機器Ｃに送信する。
【００７４】
メイン基板１４７は、主走査方向ｘに長く伸びる板状であり、平面視矩形状とされている。メイン基板１４７は、スキャナ制御モジュール１４の他の構成要素および各種電子部品などを搭載している。メイン基板１４７は、例えば、ガラスエポキシ樹脂からなり、Ｃｕなどの良導電性の金属からなる配線パターン（図示略）を有する。メイン基板１４７は、図５に示すように、例えば、ねじ１４８などにより、スキャナケース１１に固定されている。これにより、スキャナ制御モジュール１４がスキャナケース１１に収容されるとともに、支持されている。
【００７５】
メイン基板１４７は、厚さ方向ｚにおいて、図２および図４の上方を向く主面１４７ａと下方を向く裏面１４７ｂとを有する。本実施形態においては、メイン基板１４７は、主面１４７ａおよび裏面１４７ｂの両面に前記配線パターンが形成された両面基板あるいは多層基板などにより構成される。
【００７６】
主面１４７ａには、スキャンスイッチ１４２、および、後述するＢｌｕｅｔｏｏｔｈモジュール１５が搭載されている。裏面１４７ｂには、スキャナ制御部１４６、メインスイッチ１４１、ＣＩＳモジュール用コネクタ１４３、ＵＳＢモジュール用コネクタ１４４、および、蓄電デバイス用コネクタ１４５が搭載されている。
【００７７】
本実施形態において、メイン基板１４７は、副走査方向ｙの寸法が、マイコンによって構成されたスキャナ制御部１４６の副走査方向ｙの寸法の１〜２倍としている。また、本実施形態において、メイン基板１４７は、裏面１４７ｂが、ＣＩＳモジュール１２の厚さ方向ｚ上方の面に向き合って、配置されている。
【００７８】
Ｂｌｕｅｔｏｏｔｈモジュール１５は、Ｂｌｕｅｔｏｏｔｈの通信規格に準拠する無線通信を実行するための無線通信モジュールである。Ｂｌｕｅｔｏｏｔｈモジュール１５は、種々の電子機器に搭載されることで、搭載された電子機器におけるＢｌｕｅｔｏｏｔｈ通信を実現する。Ｂｌｕｅｔｏｏｔｈモジュール１５は、無線通信制御部１５１、モジュール基板１５２、および、アンテナ部１５３を含んで構成される。
【００７９】
無線通信制御部１５１は、Ｂｌｕｅｔｏｏｔｈモジュール１５による無線通信を総合的に制御するものであり、メイン基板１４７の主面１４７ａに搭載されている。無線通信制御部１５１は、例えば、Radio Frequency回路（以下、「ＲＦ回路」という。）と、マイコンとを備える構成例が挙げられる。
【００８０】
前記ＲＦ回路は、電波を用いた無線信号を送受信する回路である。前記マイコンは、前記ＲＦ回路からの出力に対して所定の処理を行う集積回路である。無線通信制御部１５１の具体的な態様は、種々に設定され特に限定されるものではない。例えば、前記ＲＦ回路を構成するＩＣと、前記マイコンを構成するＩＣとが、モジュール基板１５２に当該された構成であってもよい。あるいは、前記ＲＦ回路および前記マイコンのいずれかが、モジュール基板１５２に形成された配線パターンおよび所定の電子素子（いずれか図示略）によって構成されてもよい。さらに、前記ＲＦ回路および前記マイコンが、１つのＩＣに一体的に集積された構成であってもよい。なお、ノイズ防止などの観点から、無線通信制御部１５１の全体または一部を覆う、たとえば金属製のカバーを備えていてもよい。
【００８１】
モジュール基板１５２は、無線通信制御部１５１を搭載しており、無線通信制御部１５１を支持するとともに、無線通信制御部１５１に導通する導通経路を構成するものである。モジュール基板１５２は、例えば、ガラスエポキシ樹脂からなり、Ｃｕなどの良導電性の金属からなる配線パターン（図示略）を有する。本実施形態においては、モジュール基板１５２にアンテナ部１５３が形成されている。また、本実施形態においては、モジュール基板１５２は、平面視矩形状とされている。
【００８２】
アンテナ部１５３は、無線通信制御部１５１の無線通信において、電波を送信（または受信）する部位である。本実施形態においては、アンテナ部１５３は、モジュール基板１５２の前記配線パターンの一部である導体パターンによって構成されている。また、導体パターンは、複数の屈曲部を有する帯状をなす。
【００８３】
本実施形態においては、モジュール基板１５２は、複数の実装端子を有している。前記複数の実装端子は、例えば、Ｃｕ、Ｎｉあるいはこれらの合金からなり、モジュール基板１５２の端縁から突出している。複数の実装端子は、例えば、はんだによってメイン基板１４７に接合されることにより、メイン基板１４７に対してモジュール基板１５２を固定するとともに、モジュール基板１５２とメイン基板１４７との導通経路を構成する。
【００８４】
Ｂｌｕｅｔｏｏｔｈモジュール１５において、無線通信制御部１５１は、スキャナ制御モジュール１４から入力される画像データを、所定周波数（２．４ＧＨｚ帯）の高周波信号に変換し、アンテナ部１５３を介して、外部機器Ｃに無線送信する。
【００８５】
本実施形態においては、Ｂｌｕｅｔｏｏｔｈモジュール１５は、図２、図４および図５に示すように、メイン基板１４７の主面１４７ａに配置され、かつ、主走査方向ｘにおいて、ロータリーエンコーダ１３３と反対側に配置されている。
【００８６】
蓄電デバイス１６は、ハンディスキャナ１の各部に供給する電力を蓄積するものである。蓄電デバイス１６としては、例えば、充電可能な、鉛蓄電池またはリチウムイオン電池などの二次電池、あるいは、電気二重層キャパシタまたはリチウムイオンキャパシタなどのキャパシタなどが挙げられる。本実施形態においては、蓄電デバイス１６として、リチウムイオンポリマー二次電池を用いている。蓄電デバイス１６は、メイン基板１４７上に配置された蓄電デバイス用コネクタ１４５に接続されている。なお、蓄電デバイス１６の構成はこれに限定されず、乾電池などの一次電池で構成してもよい。この場合、スキャナケース１１、および、蓄電デバイス用コネクタ１４５を、蓄電デバイス１６（一次電池）を着脱可能なように構成しておけばよい。
【００８７】
蓄電デバイス１６は、厚さ方向ｚ視において、ＣＩＳモジュール１２の一部と重なっている。また、蓄電デバイス１６の厚さ寸法は、スキャナ制御モジュール１４のメイン基板１４７の厚さ寸法より大きい。また、図２および図４に示すように、厚さ方向ｚにおいて、メイン基板１４７の中央位置は、当該蓄電デバイス１６の中央位置より、ＣＩＳモジュール１２が配置されている側と反対側に位置している。さらに、図２および図４に示すように、厚さ方向ｚにおいて、メイン基板１４７の主面１４７ａは、蓄電デバイス１６の上面より、下方に位置している。
【００８８】
ＵＳＢモジュール１７は、ハンディスキャナ１を外部の電子機器などにＵＳＢケーブルを用いた有線接続するための、外部インタフェースモジュールである。ＵＳＢモジュール１７は、ＵＳＢコネクタ１７１、スキャナ制御モジュール用コネクタ１７２、および、ＵＳＢ変換基板１７３を含んで構成されている。
【００８９】
ＵＳＢコネクタ１７１は、ハンディスキャナ１と外部の電子機器とをＵＳＢ接続するための接続端子である。なお、当該外部の電子機器は、上記する外部機器Ｃと同じであっても、異なるものであってもよい。
【００９０】
スキャナ制御モジュール用コネクタ１７２は、ＵＳＢモジュール１７をメイン基板１４７に接続するための接続端子である。本実施形態においては、上記するように、スキャナ制御モジュール用コネクタ１７２とＵＳＢモジュール用コネクタ１４４とは、フレキシブルフラットケーブルにより接続されている。
【００９１】
ＵＳＢ変換基板１７３は、例えば、ガラスエポキシ樹脂からなり、Ｃｕなどの良導電性の金属からなる配線パターン（図示略）を有する。ＵＳＢ変換基板１７３には、ＵＳＢコネクタ１７１およびスキャナ制御モジュール用コネクタ１７２が搭載されており、ＵＳＢ変換基板１７３の前記配線パターンにより、ＵＳＢコネクタ１７１とスキャナ制御モジュール用コネクタ１７２とが導通している。
【００９２】
本実施形態においては、蓄電デバイス１６を充電するための電力は、ＵＳＢモジュール１７を介して、供給される。具体的には、図示しない外部の電力供給源と、ＵＳＢモジュール１７（ＵＳＢコネクタ１７１）とをＵＳＢケーブルを用いて接続することで、外部の電力供給源からＵＳＢモジュール１７に供給され、そして、当該ＵＳＢモジュール１７から、スキャナ制御モジュール１４（メイン基板１４７）を導通して、蓄電デバイス１６に供給される。すなわち、ハンディスキャナ１（蓄電デバイス１６）は、ＵＳＢモジュール１７を用いたＵＳＢバスパワーにより給電され、給電された電力により充電が行われる。なお、ＵＳＢモジュール１７の代わりに、ＡＣアダプタを用いて蓄電デバイス１６を充電するために、ＡＣアダプタを接続可能なプラグを備えておいてもよい。
【００９３】
次に、上記第１実施形態に係るハンディスキャナ１の作用、効果について説明する。
【００９４】
第１実施形態によれば、スキャナ制御部１４６として、マイコンを用いており、当該マイコンは、メイン基板１４７の裏面１４７ｂに搭載されている。これにより、スキャナ制御部１４６が行う各種制御をマイコンによるソフトウェアで実現されるため、スキャン制御やＡＦＥ制御などを行うハードウェア構成が不要となり部品点数を削減することができる。また、スキャナ制御部１４６は、ＣＩＳモジュール１２とメイン基板１４７との間に配置されている。したがって、メイン基板１４７の主面１４７ａ側に大きな電子部品を配置していないため、厚さ方向ｚの寸法を小さくすることができる。以上のことから、ハンディスキャナ１の小型化に寄与することができる。
【００９５】
第１実施形態によれば、蓄電デバイス１６の厚さ方向寸法が、メイン基板１４７の厚さ方向寸法より大である。また、厚さ方向ｚにおいて、蓄電デバイス１６とメイン基板１４７とは重なっており、かつ、厚さ方向ｚにおいて、メイン基板１４７の中央位置が蓄電デバイス１６の中央位置より上方に位置している。さらに、主走査方向ｘにおいて、メイン基板１４７と蓄電デバイス１６とが並んで配置されており、かつ、厚さ方向ｚ視において、メイン基板１４７および蓄電デバイス１６の一部がＣＩＳモジュール１２と重なっている。これにより、メイン基板１４７とＣＩＳモジュール１２との間の隙間が生じ、当該隙間にマイコンによって構成されるスキャナ制御部１４６が配置されている。したがって、当該隙間を有効に活用しており、上記するように、スキャナケース１１の厚さ方向ｚの寸法を小さくすることができる。よって、ハンディスキャナ１の小型化に寄与する。
【００９６】
第１実施形態によれば、マイコンで構成されたスキャナ制御部１４６が、スキャン制御、ＡＦＥ制御、および、画像処理制御などの各種制御を実行している。これにより、これらの制御をハードウェアで実装する必要がなく、部品点数を削減することができる。したがって、メイン基板１４７に搭載する電子部品などが少なくなり、ハンディスキャナ１の小型化に寄与することができる。
【００９７】
第１実施形態によれば、マイコンで構成されたスキャナ制御部１４６をメイン基板１４７の裏面１４７ｂに搭載されている。すなわち、メイン基板１４７の主面１４７ａに、各種電子部品を搭載するためのスペースが生じる。例えば、当該スペースに、液晶ディスプレイまたは７セグメントディスプレイなどの表示手段を搭載することが可能となり、使用者に各種情報を提供することもできる。
【００９８】
第１実施形態によれば、イメージセンサモジュールとして、ＣＩＳモジュール１２を用いた。ＣＩＳ方式のイメージセンサは、ＣＣＤ方式のイメージセンサと比べ、光学系の構造が単純であり、サイズが小型である。したがって、ハンディスキャナ１の小型化に寄与することができる。
【００９９】
第１実施形態によれば、ロータリーエンコーダ１３３とＢｌｕｅｔｏｏｔｈモジュール１５とを主走査方向ｘにおいて、互いに反対側になるように、スキャナケース１１内に配置し、これらの離間距離を大きくした。これにより、ロータリーエンコーダ１３３により発生したノイズがＢｌｕｅｔｏｏｔｈモジュール１５に重畳されることを抑制することができる。また、Ｂｌｕｅｔｏｏｔｈモジュール１５により発生したノイズがロータリーエンコーダ１３３に重畳されることを抑制し、ロータリーエンコーダ１３３の誤検出を抑制することができる。
【０１００】
次に、本発明の第２実施形態に係るハンディスキャナについて説明する。なお、上記第１実施形態に係るハンディスキャナ１と同一あるいは類似の構成については、同一の符号を付して、その説明を省略する。第２実施形態に係るハンディスキャナ２の概要は、図１に示す、第１実施形態に係るハンディスキャナ１と同等である。
【０１０１】
第２実施形態に係るハンディスキャナ２は、スキャナケース２１、ＣＩＳモジュール１２、移動量検出モジュール１３、スキャナ制御モジュール１４、Ｂｌｕｅｔｏｏｔｈモジュール１５、蓄電デバイス１６、および、ＵＳＢモジュール１７を備えている。したがって、上記第１実施形態のハンディスキャナ１と比較し、スキャナケース１１の代わりに、スキャナケース２１が用いられている。
【０１０２】
図８は、第２実施形態に係るハンディスキャナ２を示している。図８（ａ）はハンディスキャナ２の斜視図であり、図８（ｂ）はハンディスキャナ２の側面図（右側面図）である。
【０１０３】
スキャナケース２１は、上記スキャナケース１１と同様に、ハンディスキャナ２の他の構成要素を収容する筐体である。本実施形態においては、図８に示すように、スキャナケース２１は、主走査方向ｘに長く伸びる棒状であり、直方体形状をなす。すなわち、スキャナケース２１は、主走査方向ｘに垂直な断面形状（ｙ−ｚ平面による断面形状）が、矩形状をなす。また、ハンディスキャナ２の外形寸法は、主走査方向ｘの長さが１４０ｍｍ〜１６０ｍｍである。
【０１０４】
第２実施形態によれば、スキャナケース２１の形状が第１実施形態のスキャナケース１１の形状と異なるだけであり、その他の構成は同じである。したがって、上記第１実施形態と同様の効果を奏することができる。
【０１０５】
第２実施形態によれば、スキャナケース２１の主走査方向ｘに垂直な断面形状が矩形状である。これにより、上記第１実施形態におけるスキャナケース１１と比較して、主走査方向ｘ、副走査方向ｙおよび厚さ方向ｚにおける寸法を押さえることができる。よって、ハンディスキャナ２の小型化に寄与することができる。
【０１０６】
次に、本発明の第３実施形態に係るハンディスキャナについて説明する。なお、第１および第２実施形態に係るハンディスキャナ１，２と同一あるいは類似の構成については、同一の符号を付して、その説明を省略する。第３実施形態に係るハンディスキャナ３の概要は、図１に示す第１実施形態に係るハンディスキャナ１と同等である。
【０１０７】
第３実施形態に係るハンディスキャナ３は、スキャナケース３１、ＣＩＳモジュール１２、移動量検出モジュール１３、スキャナ制御モジュール１４、Ｂｌｕｅｔｏｏｔｈモジュール１５、蓄電デバイス１６、および、ＵＳＢモジュール１７を備えている。したがって、上記第１（第２）実施形態のハンディスキャナ１（２）と比較し、スキャナケース１１（２１）の代わりに、スキャナケース３１が用いられている。
【０１０８】
図９は、第３実施形態に係るハンディスキャナ３を示している。図９（ａ）はハンディスキャナ３の斜視図であり、図９（ｂ）はハンディスキャナ３の側面図（右側面図）である。なお、図９においては、スキャナケース３１を透過している。
【０１０９】
スキャナケース３１は、上記スキャナケース１１，２１と同様に、ハンディスキャナ３の他の構成要素を収容する筐体である。本実施形態においては、図９に示すように、スキャナケース３１は、主走査方向ｘに長く伸びる棒状である。また、スキャナケース３１は、図９で示すように、上記第２実施形態に係るスキャナケース２１と比較して、厚さ方向ｚの一方側（上方向）の面が円弧状に膨らんだ形状をなす。ハンディスキャナ３の外形寸法は、主走査方向ｘの長さが１４０ｍｍ〜１６０ｍｍである。
【０１１０】
第３実施形態によれば、スキャナケース３１の形状が第１および第２実施形態のスキャナケース１１，２１の形状と異なるだけであり、その他の構成は同じである。したがって、上記第１および第２実施形態と同様の効果を奏することができる。
【０１１１】
第３実施形態によれば、スキャナケース３１の厚さ方向ｚの一方側（上方向）の面が円弧状である。これにより、第２実施形態におけるスキャナケース２１と比較して、角が少なくなるので、持ちやすくなる。また、第１実施形態におけるスキャナケース１１と比較して、主走査方向ｘおよび副走査方向ｙにおける寸法を押さえることができる。よって、ハンディスキャナ３の小型化に寄与することができる。
【０１１２】
次に、上記第１実施形態ないし上記第３実施形態における各種変形例について説明する。
【０１１３】
上記第１実施形態ないし上記第３実施形態において、スキャナ制御部１４６がスキャン制御、ＡＦＥ制御、画像処理制御を行う場合を例に説明したが、これに限定されない。例えば、スキャナ制御部１４６がＡＦＥ制御後のデジタル画像信号を、Ｂｌｕｅｔｏｏｔｈモジュール１５を介して、外部機器Ｃに送信し、外部機器Ｃが、内蔵するアプリケーションで上記する画像処理制御を実行するようにしてもよい。この場合、スキャナ制御部１４６は、ＣＩＳモジュール１２からアナログ画像信号が入力され、ＡＦＥ制御を行う度に、随時デジタル画像信号を外部機器Ｃに送信してよく、あるいは、ＡＦＥ制御を行った後、デジタル画像信号を一度ＲＡＭに記憶しておき、すべてのデジタル画像信号を取得した後に、外部機器Ｃに送信してもよい。
【０１１４】
また、上記第１実施形態ないし上記第３実施形態においては、スキャナ制御部１４６が、スキャン制御において、ＬＥＤ光源１２１のＬＥＤ駆動制御も行う場合を例に説明したが、これに限定されない。例えば、ＬＥＤ光源１２１のＬＥＤ駆動制御が、例えば、オン／オフだけの単純な制御である場合には、スキャナ制御部１４６が制御するのではなく、メイン基板１４７上にＬＥＤ駆動回路を形成し、当該ＬＥＤ駆動回路により実装されていてもよい。例えば、ＬＥＤ光源１２１の点灯においてＰＷＭ制御などの複雑な制御が必要になる場合、ＬＥＤ駆動回路では、複雑な回路構成となるため、ＬＥＤ駆動制御をマイコンにより実現することが好ましいが、単にオンオフ制御のみの場合には、単純な回路構成でよいため、ＬＥＤ駆動回路に実現することも可能である。なお、このＬＥＤ駆動回路において、スキャンスイッチ１４２の押下に合わせて、ＬＥＤ光源１２１に電力が供給されるようにしておけばよい。このようなＬＥＤ駆動回路は、例えば、メイン基板１４７の裏面１４７ｂにおいて、マイコン（スキャナ制御部１４６）とＣＩＳモジュール用コネクタ１４３との間に配置させることができる。
【０１１５】
上記第１実施形態ないし上記第３実施形態において、外部機器Ｃと無線通信を行う無線通信モジュールとして、Ｂｌｕｅｔｏｏｔｈモジュール１５を用いた場合を例に説明したが、これに限定されない。その他の無線通信モジュールを例示すると、ＩＥＥＥ８０２．１１規格に準拠した無線ＬＡＮ（Local Area Network）やＺｉｇＢｅｅ（登録商標）などによる通信が可能なモジュールであってもよい。
【０１１６】
上記第１実施形態ないし上記第３実施形態において、ハンディスキャナ１（２，３）が読み取った原稿Ｄの画像データは、Ｂｌｕｅｔｏｏｔｈモジュール１５を用いた無線通信により、外部機器Ｃに送信される場合を例に説明したが、有線通信により行われるようにしてもよい。例えば、上記第１実施形態ないし上記第３実施形態において、蓄電デバイス１６の充電用に利用していたＵＳＢモジュール１７を用いて、外部機器Ｃと有線通信可能にすることで実現される。すなわち、ハンディスキャナ１（２，３）と外部機器ＣとをＵＳＢケーブルを用いて接続し、ＵＳＢによる有線通信可能なように構成してもよい。また、Ｂｌｕｅｔｏｏｔｈモジュール１５を用いた無線通信と、ＵＳＢモジュール１７を用いた有線通信とを併用してもよい。
【０１１７】
上記第１実施形態ないし上記第３実施形態において、ハンディスキャナ１（２，３）から着脱可能なフラッシュメモリなどの外部記憶装置をさらに備えておき、読み取った画像データを当該外部記憶装置に記録可能なようにしてもよい。そして、外部記憶装置をハンディスキャナ１（２，３）から取り外し、各種ＯＡ機器で読み込むことで、記録した画像データを各種ＯＡ機器で処理してもよい。
【０１１８】
上記第１実施形態ないし上記第３実施形態において、主走査方向ｘのいずれか一方の端縁部分に筆記具を備えておいてもよい。筆記具としては、例えば、ボールペン、シャープペンシル、サインペン、万年筆などが挙げられる。なお、筆記具を備えた場合、上記第１実施形態のように、円筒状のスキャナケース１１とすることで、筆記具として持ち易くなり、筆記に適している。
【０１１９】
本発明に係る画像読取装置は、上記した実施形態に限定されるものではない。本発明の画像読取装置の各部の具体的な構成は、種々に設計変更自在である。
【符号の説明】
【０１２０】
１，２，３    ；ハンディスキャナ
１１，２１，３１；スキャナケース
１１１    ；円筒部
１１２    ；円錐部
１１３    ；平面部
１１４    ；開口部
１２      ；ＣＩＳモジュール（イメージセンサモジュール）
１２１    ；ＬＥＤ光源
１２２    ；レンズアレイ
１２３    ；ラインセンサ
１２４    ；ＣＩＳケース
１２４ａ  ：開口部
１２５    ；透明カバー
１２６    ；スキャナ制御モジュール用コネクタ
１２７    ；ＣＩＳ基板
１３      ；移動量検出モジュール
１３１    ；ピン
１３２    ；ローラ
１３３    ；ロータリーエンコーダ
１４      ；スキャナ制御モジュール
１４１    ；メインスイッチ
１４２    ；スキャンスイッチ
１４３    ；ＣＩＳモジュール用コネクタ
１４４    ；ＵＳＢモジュール用コネクタ
１４５    ；蓄電デバイス用コネクタ
１４６    ；スキャナ制御部（制御手段）
１４７    ；メイン基板（制御基板）
１４７ａ  ；主面
１４７ｂ  ；裏面
１４８    ；ねじ
１５      ；Ｂｌｕｅｔｏｏｔｈモジュール（通信手段）
１５１    ；無線通信制御部
１５２    ；モジュール基板
１５３    ；アンテナ部
１６      ；蓄電デバイス（蓄電手段）
１７      ；ＵＳＢモジュール
１７１    ；ＵＳＢコネクタ（外部インタフェース）
１７２    ；スキャナ制御モジュール用コネクタ
１７３    ；ＵＳＢ変換基板
【図１】
2018061085.tif 000003
【図２】
2018061085.tif 000004
【図３】
2018061085.tif 000005
【図４】
2018061085.tif 000006
【図５】
2018061085.tif 000007
【図６】
2018061085.tif 000008
【図７】
2018061085.tif 000009
【図８】
2018061085.tif 000010
【図９】
2018061085.tif 000011